【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
複数のタイプの信号を受信して出力するための装置であって、
第一の信号を受信する第一の入力と、
第二の信号を受信するオーバーザエア伝送を含む第二の入力と、
前記第一の入力へと動作可能なように接続され、前記第一の信号を処理するように動作
可能であり、それによって処理された信号を生成する、処理回路と、
前記第二の入力および前記処理回路へと動作可能なように接続された変調器と、
を含み、
前記変調器は、前記第二の信号と処理された信号のうちの少なくとも一つを出力するよ
うに動作可能であり、
前記処理回路へと接続された赤外線送信機であって、前記変調器が前記第二の信号を出
力するとき、自動的にチャンネル変更コマンドをディスプレイデバイスに送信するように構成された、赤外線送信機を含む、
ことを特徴とする装置。
【請求項２】
前記変調器は、前記第二の信号および前記処理された信号の両方を出力するように動作
可能である、
ことを特徴とする請求項１に記載の装置。
【請求項３】
前記変調器は、ピクチャインピクチャディスプレイを要求する信号に応じて、前記第二
の信号および前記処理された信号の両方を出力する、
ことを特徴とする請求項２に記載の装置。
【請求項４】
前記第一の信号は衛星テレビ伝送である、
ことを特徴とする請求項１に記載の装置。
【請求項５】
前記第一の信号はケーブルテレビ伝送である、
ことを特徴とする請求項１に記載の装置。
【請求項６】
多重入力テレビ受像機からの出力を提供する方法であって、
第一のデバイスにおいて第一の状態から第二の状態へと変更するためのコマンドを受信するステップと、
複数のチャンネル用の電子プログラミングガイドデータを受信するステップと、
前記電子プログラミングガイドデータにおける前記複数のチャンネルの何れが前記第一
の入力信号に対応するか、ならびに、何れが前記第二の入力信号に対応するかを示すチャ
ンネル分配を決定するステップと、を含み、
前記決定するステップは、
前記第二の入力信号に関連付けられた、アンテナ上の複数のローカル放送チャンネルを
スキャンするステップと、
任意のローカル放送チャンネルを前記第二の入力信号へと割り当てるステップと、
前記スキャンする動作において発見されなかった、前記電子プログラミングガイドデー
タにおける任意の複数のチャンネルを、前記第一の入力信号へと割り当てるステップと、
を含み、
前記チャンネル分配の参照によって、前記第二の状態が、第一および第二の入力信号のいずれに対応するかを判定するステップと、
前記第二の状態が前記第一の入力信号に対応する場合に、処理された信号を生成するた
めに前記第一の入力信号を処理するステップと、
前記第二の状態が前記第一の入力信号に対応する場合に、前記処理された信号を出力す
るステップと、
前記第二の状態が前記第二の入力信号に対応する場合に、前記第一のデバイスから出力デバイスに対してチャンネル変更コマンドを発行するステップをさらに含み、前記チャンネル変更コマンドは、前記第二の状態に対応する周波数に同調するように前記出力デバイスに命令するステップと、
前記第二の入力信号を出力するステップと、
ことを特徴とする方法。
【請求項７】
前記第二の状態が前記第二の入力信号に対応する場合に、出力デバイスに対してチャン
ネル変更コマンドを発行するステップをさらに含み、前記チャンネル変更コマンドは、前
記第一の入力信号の受信専用の周波数へと同調するように、前記出力デバイスに命令する
、
ことを特徴とする請求項６に記載の方法。
【請求項８】
前記第一の入力信号の受信専用の前記周波数は、前記出力デバイスにおけるチャンネル
３もしくはチャンネル４に対応する、
ことを特徴とする請求項７に記載の方法。
【請求項９】
第一のチャンネルリストをコンパイルするステップであって、前記第一のチャンネルリ
ストは、前記第一の入力信号に関連付けられ、アンテナを介して使用可能である全チャン
ネルを含む、ステップと、
第二のチャンネルリストをコンパイルするステップであって、前記第二のチャンネルリ
ストは、前記第二の入力信号に関連付けられ、アンテナを介して使用可能である全チャン
ネルを含む、ステップと、
前記第一および第二のチャンネルリストを仮想電子プログラミングガイドへとマージす
るステップと、
をさらに含む、
ことを特徴とする請求項６に記載の方法。
【請求項１０】
前記第一のチャンネルリストにおけるチャンネルと前記第二のチャンネルリストにおけ
るチャンネルが重複することを判定するステップと、
前記第一のチャンネルリストにおける前記チャンネルと、前記第二のチャンネルリスト
における前記チャンネルのうちの一つを、重複していないチャンネルへと再度割り当てるステップと、
をさらに含む、
ことを特徴とする請求項９に記載の方法。
【請求項１１】
前記第一の入力信号は衛星テレビ伝送である、
ことを特徴とする請求項６に記載の方法。
【請求項１２】
前記第一の入力信号はケーブルテレビ伝送である、
ことを特徴とする請求項６に記載の方法。
【請求項１３】
前記第二の入力信号はローカルテレビ伝送である、
ことを特徴とする請求項６に記載の方法。 
【手続補正２】
【補正対象書類名】明細書
【補正対象項目名】００１６
【補正方法】変更
【補正の内容】
【００１６】
衛星入力１０８は、衛星アンテナディッシュおよび低ノイズブロック給電ホーン１１２に接続され、低ノイズブロック給電ホーン１１２は、図１に示されるように、“ＬＮＢ”と称され、衛星１１６からの放送を受信する。衛星放送はＬＮＢによって受信され、続いて、衛星信号を周波数変換して、衛星入力１０８に接続されたケーブルを介して、その衛星信号をテレビ受像機１０４へと伝送する。ＬＮＢの動作は、当業者によって十分に理解されるため、本明細書ではこれ以上は議論されない。
【手続補正３】
【補正対象書類名】明細書
【補正対象項目名】００４０
【補正方法】変更
【補正の内容】
【００４０】
実施形態は、図１に示された例示的な衛星放送システムに関連して、本明細書で議論されてきたが、実施形態は、他のタイプのネットワークもしくはコンテンツ送達メカニズムに関連して使用されてもよいことを理解されたい。概して、本開示は、ネットワークを介して、もしくはネットワーク上で受像機に対してプロバイダから送達されるコンテンツを含む。コンテンツが送達されうるネットワークは、図１に示されたような衛星システムを含んでもよい。或いは、ネットワークは、ケーブルテレビネットワーク、ローカルエリアネットワーク、ワイドエリアネットワークもしくはインターネットを含んでもよい。ある実施形態に関連して、受像機は、インターネットのワイドエリアネットワークなどのネットワークを介して、データもしくは他のコンテンツを受信するように動作可能である汎用コンピュータを含んでもよい。そのような実施形態においては、プロバイダがウェブサイト、ファイル転送プロトコル（ＦＴＰ）サイト、ファイル共有システムもしくはサイトなどにアクセスできるように、コンピュータが構成されてもよい。さらには、本明細書で記述された、図２および図３に示されたような、本方法が動作する順序は、例示の目的のものであって、限定する目的のものではない。本開示の趣旨および範囲から逸脱することなく、ある実装は、本方法の動作を再度順序付けしてもよい。